【事件の表示】
　平成　８年特許願第５２４３８８号「走査ビーム型Ｘ線画像システム」拒絶査定不服審判事件〔平成　８年　８月１５日国際公開，ＷＯ９６／２４８６０，平成１１年　２月２３日国内公表，特表平１１−５０２３５７〕について，次のとおり審決する。
【結　論】
　本件審判の請求は，成り立たない。
【理　由】
第１　手続の経緯
　本願は，平成８年２月６日（パリ条約による優先権主張，平成７年２月１０日，米国）を国際出願日とする特許出願であって，「走査ビーム型Ｘ線画像システム」に関するものであると認められる。
　そして，原審において，平成１６年１１月１９日付けで拒絶理由が通知され，平成１７年５月３０日付けで意見書と共に手続補正書が提出された後，平成１７年１０月１９日付けで最後の拒絶理由が通知され，平成１８年４月２５日付けで意見書と共に手続補正書が提出されたが，平成１８年１２月１２日付けで，当該平成１８年４月２５日付け手続補正書による補正が，（平成１４年法律第２４号改正附則第３条第１項によりなお従前の例によるとされる同法による改正前の）特許法第１７条の２第３項に違反するものであるとして同法第５３条第１項の規定に基づき却下されると共に，平成１８年１２月１２日付けで拒絶理由通知書に記載の理由によって拒絶査定がなされたものである。
　これに対し，平成１９年３月１９日に拒絶査定不服審判の請求がなされるとともに，平成１９年４月１８日付けで手続補正がなされたものである。そして，平成２０年１２月１７日付けで期間を指定して審尋がなされたが，当該期間内に請求人より回答書の提出はなされなかった。
　
　
第２　平成１９年４月１８日付けの手続補正についての補正却下の決定
［補正却下の決定の結論］
　平成１９年４月１８日付けの手続補正（以下，「本件補正」という。）を却下する。
　
［理由］
１　本件補正の内容
　本件補正は，特許請求の範囲について，
　
「
１
  それぞれ規則的なパターンで配列された複数のＸ線透過領域を備え、低い原子番号を有する材料にてなる第２の複数のＸ線吸収性シートとを備え、
  上記第１の複数のＸ線吸収性シートと、上記第２の複数のＸ線吸収性シートとを互いに重ね合わせて実質的に平面的なスタックを形成し、各シートの上記Ｘ線透過領域と直接的に隣接するシートのＸ線透過領域とを整列させて、上記スタックを通過する透過通路を形成し、上記Ｘ線透過通路の各々の軸が上記スタックの平面に対して４０°から９０°までの範囲の角度を形成し
て
  上記スタックの第１の表面に隣接して配置されたＸ線透過材料にてなる第１の端板及び上記スタックの第２の表面に隣接して配置されたＸ線透過材料にてなる第２の端板と、
  ターゲット
と
と
  上記冷却剤チャンバ
が
が
が
２
が
、
１
３
が
る、
２
　
「【請求項１】　それぞれ規則的なパターンで配列された複数のＸ線透過領域を備え
る複数の
の種類
　
少なくとも１つの
種類
ここで、前記第１の種類のＸ線吸収性シートのＸ線透過率が、前記第２の種類のＸ線透過率と異なり；
平面状の
　上記スタックの第１の表面に隣接して配置されたＸ線透過材料
から
から
　ターゲットと冷却剤チャンバとを備え、
　上記冷却剤チャンバが上記第１の端板と上記ターゲットとの間に配置され、上記ターゲットがターゲット支持層及びＸ線放出層を備え、上記第１の複数の
Ｘ線吸収性
Ｘ線吸収性
が
【請求項２】　上記ターゲット支持層の材料がベリリウムであり、上記Ｘ線放出層がタンタル又はタングステン
から
【請求項３】　弾性材料の中間層が
上記ターゲット
Ｘ線
　
２　本件補正の目的
（１）本件補正のうち請求項１についての補正は，分節すると，
ア　補正前の請求項１に係る発明を特定する事項である「それぞれ規則的なパターンで配列された複数のＸ線透過領域を備え、高い原子番号を有する材料にてなる第１の複数のＸ線吸収性シート」を「それぞれ規則的なパターンで配列された複数のＸ線透過領域を備え
る複数の
の種類
　
イ　補正前の請求項１に係る発明を特定する事項である「それぞれ規則的なパターンで配列された複数のＸ線透過領域を備え、低い原子番号を有する材料にてなる第２の複数のＸ線吸収性シート」を「
少なくとも１つの
種類
　
ウ　補正前の請求項１に係る発明を特定する事項である「上記第１の複数のＸ線吸収性シートと、上記第２の複数のＸ線吸収性シートとを互いに重ね合わせて実質的に平面的なスタックを形成し、各シートの上記Ｘ線透過領域と直接的に隣接するシートのＸ線透過領域とを整列させて、上記スタックを通過する透過通路を形成し、上記Ｘ線透過通路の各々の軸が上記スタックの平面に対して４０°から９０°までの範囲の角度を形成し
て
平面状の
　
エ　補正前の請求項１に係る発明を特定する事項である「上記スタックの第１の表面に隣接して配置されたＸ線透過材料にてなる第１の端板」を「上記スタックの第１の表面に隣接して配置されたＸ線透過材料
から
　
オ　補正前の請求項１に係る発明を特定する事項である「上記スタックの第２の表面に隣接して配置されたＸ線透過材料にてなる第２の端板」を「上記スタックの第２の表面に隣接して配置されたＸ線透過材料
から
　
カ　補正前の請求項１に係る発明を特定する事項である「上記第１の複数のシート
が
Ｘ線吸収性
Ｘ線吸収性
が
　
　ここで，上記補正事項ア及びウ〜カについては，平成１９年４月１８日付けの審判請求書についての手続補正書において，請求人が「請求項１における『高い原子番号』及び『低い原子番号』なる記載では、何に対して『高い』あるいは『低い』のか比較の基準が明示されていないことから、どの原子を意味しているのか不明瞭で、その結果発明の構成が不明確である。』とされた。しかしながら、本願出願人は、同日付提出の手続補正書をもって上述の通り『特許請求の範囲』を補正したので、本願発明の構成が明確になったものと思料する。」と主張していることにも鑑みれば，誤記の訂正又は明りょうでない記載の釈明を目的とする補正であるということができる。
　しかしながら，上記補正事項イについては，「第２のＸ線吸収性シート」として，本件補正前の「低い原子番号を有する材料にてなる第２の」という表現に代えて「第２の
種類
少なくとも１つの
　
　してみると，特許請求の範囲についての本件補正は，平成１４年法律第２４号改正附則第２条第１項によりなお従前の例によるとされる同法による改正前の特許法第１７条の２第４項の各号に掲げるいずれの事項を目的とするものにも該当せず，同法第１５９条第１項で読み替えて準用する同法第５３条第１項の規定により，却下すべきものである。
　
　
第３　本願の請求項１に係る発明について
１　本願の特許を受けようとする発明
　以上のとおり，平成１８年４月２５日付けの手続補正は，上記「第１　手続の経緯」で述べたとおり，平成１８年１２月１２日付けの補正の却下の決定により却下され，平成１９年４月１８日付けの手続補正は，上記の「平成１９年４月１８日付けの手続補正についての補正却下の決定」のとおり却下されることとなったので，上記各補正はないものとなった。
　それゆえ，本件特許出願人が特許を受けようとする発明として特定する事項は，平成１７年５月３０日付けの手続補正によって補正された本願明細書の特許請求の範囲の請求項１に記載された次のとおりのものである。
　
「
１
  それぞれ規則的なパターンで配列された複数のＸ線透過領域を備え、低い原子番号を有する材料にてなる第２の複数のＸ線吸収性シートとを備え、
  上記第１の複数のＸ線吸収性シートと、上記第２の複数のＸ線吸収性シートとを互いに重ね合わせて実質的に平面的なスタックを形成し、各シートの上記Ｘ線透過領域と直接的に隣接するシートのＸ線透過領域とを整列させて、上記スタックを通過する透過通路を形成し、上記Ｘ線透過通路の各々の軸が上記スタックの平面に対して４０°から９０°までの範囲の角度を形成し
て
  上記スタックの第１の表面に隣接して配置されたＸ線透過材料にてなる第１の端板及び上記スタックの第２の表面に隣接して配置されたＸ線透過材料にてなる第２の端板と、
  ターゲット
と
と
  上記冷却剤チャンバ
が
が
が
　
２　原査定の拒絶の理由
　これに対して，原査定の拒絶の理由の概要は，次のとおりである。
　
「１．この出願の下記の請求項に係る発明は、その出願前日本国内又は外国において頒布された下記の刊行物に記載された発明に基づいて、その出願前にその発明の属する技術の分野における通常の知識を有するものが容易に発明をすることができたものであるから、特許法第２９条第２項の規定により特許を受けることができない。
　　　　　　　　　　　　　　　　　記
１）国際公開第９４／２３４５８号パンフレット　（以下、『引用例』という）
・請求項１−３に対して
　引用例（特に図３，５，１４参照）には、穴や隙間が形成されたシートを積層して作られたコリメーショングリッドと、グリッドアセンブリとして積層された前記シートを保持するアルミニウムシートと、ベリリウムアノード支持体の前部に設けられた冷却ジャケットを備えたＸ線源が記載されている。
　
２．この出願は、特許請求の範囲の記載が下記の点で、特許法第３６条第６項第２号に規定する要件を満たしていない。
　　　　　　　　　　　　　　　　　記
　請求項１における『高い原子番号』及び『低い原子番号』なる記載では、何に対して『高い』あるいは『低い』のか比較の基準が明示されていないことから、どの原子を意味しているのか不明瞭で、その結果発明の構成が不明確である。」
　
３　当審の判断
（１）特許法第３６条第６項第２号の要件について
　まず，上記原査定の拒絶の理由における「２．」に対応する特許法３６条第６項第２号の要件について検討するに，「高い原子番号を有する材料」及び「低い原子番号を有する材料」という記載は，本願明細書の記載及び「走査ビーム型Ｘ線画像システム」の技術分野における技術常識を参酌してもなお，どのような材料を指すのか明確であるとはいえないから，本願明細書の上記特許請求の範囲の記載をもって特許を受けようとする発明が明確である，ということはできない。
　
（２）特許法第２９条第２項の規定について
ア　本願発明の認定
　上記３（１）のとおり，本願明細書の特許請求の範囲の請求項１の記載には不明瞭な記載が含まれ，その記載に基づいては本願の請求項１に係る発明を明確に把握することができないものの，不明瞭な記載である「高い原子番号を有する材料にてなる第１の複数のＸ線吸収性シート」及び「低い原子番号を有する材料にてなる第２の複数のＸ線吸収性シート」を，「第１の複数のＸ線吸収性シートと第２の複数のＸ線吸収性シートとは互いに異なる材料からなり，第１の複数のＸ線吸収性シートの材料は第２の複数のＸ線吸収性シートの材料よりも相対的に原子番号の高いものである」と解釈されるものとして，上記原査定の拒絶の理由における「２．」に対応する特許法第２９条第２項の規定について，以下検討する。
　このとき，本願の請求項１に係る発明は，次のとおりのものであると認められる。
　
「１
  それぞれ規則的なパターンで配列された複数のＸ線透過領域を備え、低い原子番号を有する材料にてなる第２の複数のＸ線吸収性シートとを備え、
  上記第１の複数のＸ線吸収性シートと、上記第２の複数のＸ線吸収性シートとを互いに重ね合わせて実質的に平面的なスタックを形成し、各シートの上記Ｘ線透過領域と直接的に隣接するシートのＸ線透過領域とを整列させて、上記スタックを通過する透過通路を形成し、上記Ｘ線透過通路の各々の軸が上記スタックの平面に対して４０°から９０°までの範囲の角度を形成し
て
　前記第１の複数のＸ線吸収性シートと前記第２の複数のＸ線吸収性シートとは互いに異なる材料からなり，前記第１の複数のＸ線吸収性シートの材料は前記第２の複数のＸ線吸収性シートの材料よりも相対的に原子番号の高いものであり，
  上記スタックの第１の表面に隣接して配置されたＸ線透過材料にてなる第１の端板及び上記スタックの第２の表面に隣接して配置されたＸ線透過材料にてなる第２の端板と、
  ターゲット
と
と
  上記冷却剤チャンバ
が
が
が
　
イ　引用刊行物の記載事項
　原査定の拒絶の理由に引用され，本願特許出願前に頒布された刊行物である，国際公開第９４／２３４５８号パンフレット（以下，「引用例」という。）には，図面の図示と共に，次の事項が記載されており，その仮訳として，当該国際公開に対応する国内公表である特表平８−５０８４３１号公報の該当箇所をそれぞれ併記する。
　
（ア）「
1.
TECHNICAL FIELD OF THE INVENTION
（「
１．発明の技術分野
　本発明は、診断用Ｘ線撮影装置に関する。さらに詳しくは、本発明は、多数の開口付コリメーショングリッドと分割（ｓｅｇｍｅｎｔｅｄ）Ｘ線検出器アレーを組み込むことにより、解像度を改善しＸ線放射量を減少したリアルタイム走査ビーム型デジタルＸ線撮影システムに関する。」〔公表公報３頁４〜８行〕）
　
（イ）「
The X-Ray Tube
 Fig. 3 depicts a magnified view of the grid and anode structure. Anode 50 is preferably fabricated of a target layer of a material having good vacuum characteristics and the ability to withstand high heat and electron bombardment formed upon a beryllium anode support 130. Aluminum or other relatively x-ray transparent materials could be used for the anode support 130 as well. The presently preferred construction of the target layer is, in order of preference: (1) a first layer of niobium approximately 1 micron thick sputter-deposited upon the anode support to which is then sputter- deposited a second layer of tantalum approximately 5 microns thick (this structure is preferred because the niobium has a thermal coefficient of expansion intermediate to the coefficients of thermal expansion of beryllium (the anode support 130) and tantalum, thus reducing or preventing microcracking due to thermal cycling of the target anode between the ON and OFF conditions of the tube; (2) a sputter-deposited layer of tantalum approximately 5 microns thick; (3) a sputter-deposited layer of tungsten-rhenium approximately 5 microns thick; and (4) a sputter-deposited layer of tungsten approximately 5 to 7 microns thick. Tantalum, tungsten and tungsten- rhenium are preferred for anode 50 because, having relatively high atomic numbers and densities, they readily emit x-rays when irradiated by an electron beam. Tungsten's high melting point of 3370℃ and good vacuum characteristics make it suitable for the high temperature and hard vacuum conditions within the tube. Tantalum and tungsten-rhenium have similar characteristics as known to those of skill in the art. The thicknesses of the anode layers are selected so that they are approximately equivalent to the distance necessary to efficiently convert 100 kV electrons to x-rays. Beryllium is preferred for anode support 130 because it is strong and does not significantly attenuate or scatter the x-rays emitted from anode 50.」〔明細書１０頁２４行〜１１頁２１行〕
（「図３は、グリッドとアノードの構造を拡大したものを示している。アノード５０は、ベリリウムのアノード支持体１３０上に形成され、真空特性がよく、高温及び電子の衝撃に抵抗する能力を有する物質のターゲット層で組み立てられるのが好ましい。さらにＸ線が比較的透過するアルミニウム又は他の物質がアノード支持体１３０に使用可能である。現在好ましいターゲット層は、好ましい順に、（１）アノード支持体上にほぼ１ミクロン厚にてスパッタ溶着されたニオブの第１層にほぼ５ミクロン厚にてスパッタ溶着されたタンタルの第２層（この構造は、ニオブがベリリウム（アノード支持体１３０）とタンタルの熱膨張係数の中間の熱膨張係数を有し、よって上記管のオン、オフ状態間でのターゲットアノードの熱サイクルによるマイクロクラックを抑制又は減少させることから、好ましい。）、（２）ほぼ５ミクロン厚のタンタルのスパッタ溶着層、（３）ほぼ５ミクロン厚のタングステン−レニウムのスパッタ溶着層、および、（４）ほぼ５〜７ミクロン厚のタングステンのスパッタ溶着層である。タンタル、タングステン及びタングステン−レニウムは、比較的高い原子番号と密度を有し、電子ビームが照射されたとき容易にＸ線を放出するので、アノード５０に好ましい。タングステンの３３７０℃という高融点及び真空特性がよいことは、上記Ｘ線管内の高温及び超高真空状態に適している。タンタル及びタングステン−レニウムは、当業者に公知のように類似した特性を有する。アノード層の厚さは、アノード層が１００ＫＶ電子をＸ線に有効に変換するのに必要な距離にほぼ等しいように選択される。ベリリウムは、強固でありアノード５０から放出されるＸ線を大きく減じたり散逸させたりしないことから、アノード支持体１３０に好ましい。」〔公表公報１１頁下から１１行〜１２頁下から１７行〕）
　
（ウ）「Collimation grid 90 preferably consists of an array of apertures 140, each of which according to one preferred embodiment of the present invention is oriented or pointed toward detector array 110. That is to say that the apertures within the collimation grid 90 are not parallel to each other and for use with, for example, a chest x-ray application, may have an angle with the frontal plane 260 of the collimation grid 90 of between 0° at the center of the collimation grid 90 to as much as 20° at the edge of the grid 90. In use of the invention with a mammogram application, the grid 90 may be fabricated so that the apertures form an angle with the frontal plane ranging to 45° at the edge of the grid. The number of apertures 140 in collimation grid 90 may correspond to the number of pixels, e.g., 500 by 500 to 1024 by 1024 at the center of preferably round collimation grid 90 and, in part, determines the system resolution. Alternatively, fewer apertures than pixels may be used in conjunction with the technique of sub-sampling discussed below. The thickness of grid 90 and size of apertures 140 are determined by the distance of the detector array 110 from x-ray tube 10 (here, preferably 91.4 cm (36 in)), the need to attenuate all x-rays not heading to the detector, and the size of detector elements 160 of detector array 110 (not shown in this figure).... The non-aperture portion 150 of collimation grid 90 is designed to absorb errant x-rays so that they do not illuminate object 80. This is accomplished by fabricating the grid so that x-rays striking the non-aperture portion 150 will see at least ten times the 1/2 value (the amount of material necessary to attenuate 1/2 the x-rays striking it at the system energy, here, 100 keV). Errant x-rays would provide the object and attending staff with x-ray dosage but contribute no meaningful information to the image. Collimation grid 90, as shown in FIGS. 3A and 3B, may be formed from a number of sheets 143, 144 of x-ray absorbing materials having apertures 140 therethrough to allow the x-ray beam 100 to pass through to the detector. The collimation grid 90 is preferably fabricated of 50 thin sheets of 0.0254 cm (0.010 in) thick molybdenum which are stacked and held together. Molybdenum is preferred because it readily absorbs x-rays so that x-rays generated by x-ray tube 10 which are not directed to detector 110 will be stopped before they impinge, uselessly and potentially harmfully, upon object 80, which, of course, may be a human patient. Lead or similar x-ray dense materials could also be used.」〔明細書１１頁２５行〜１３頁６行〕
（「コリメーショングリッド９０は、本発明の好ましい一形態によれば、検出器アレイ１１０の方向へそれぞれが配向され又は向けられた開口１４０のアレイからなる。即ち、コリメーショングリッド９０内の上記孔部は、互いに平行ではなく、例えば胸部Ｘ線用途のような使用において、コリメーショングリッド９０の前面２６０に対して、コリメーショングリッド９０の中央部における０°からグリッド９０の端部における２０°程度の間の角度をなすことができる。乳房検査用途での本発明の使用において、グリッド９０は、上記開口がグリッドの端部にて上記前面と４５°の範囲で角度をなすように組み立てることができる。コリメーショングリッド９０における開口１４０の数は、丸いコリメーショングリッド９０の中央部にて例えば５００×５００から１０２４×１０２４の画素数に相当することができ、当該装置の解像度を決定することができる。又、画素数よりも少ない開口が後述するサブサンプリングの技術に関連して使用することができる。グリッド９０の厚さ及び開口１４０の寸法は、Ｘ線管１０から検出器アレイ１１０までの距離（ここでは、好ましくは９１．４ｃｍ（３６インチ））と、上記検出器へ向けられていない全てのＸ線を減じる必要から、検出器アレイ１１０の検出器素子１６０（この図には示していない）の寸法とによって決定される。…コリメーショングリッド９０の開口のない部分１５０は、ずれたＸ線が対象物８０を照射しないようにずれたＸ線を吸収するように設計される。このことは非開口部分１５０に衝突するＸ線が「１／２値」（この装置のエネルギー、ここでは１００ＫｅＶにて、それに衝突するＸ線を１／２に減じるのに必要な物質量）の少なくとも１０倍を示すように上記グリッドを組み立てることでなされる。ずれたＸ線は、対象物とスタッフにＸ線を照射するが、画像に有益な情報を与えることはない。図３Ａ及び図３Ｂに示されるように、コリメーショングリッド９０は、Ｘ線ビーム１００を検出器へ通過させるようにそこを通過する開口１４０を有するＸ線吸収物質の多数のシート１４３，１４４から形成することができる。コリメーショングリッド９０は、０．０２５４ｃｍ（０．０１０インチ）厚のモリブデンの薄いシートを５０枚積層し互いに保持して組み立てるのが好ましい。モリブデンは、Ｘ線管１０にて発生し検出器１１０へ向けられていないＸ線が、人間の患者をもちろん含む対象物８０に、無益でかつ有害に衝突する前に停止させることから好ましい。鉛または類似のＸ線稠密物質も使用することができる。」〔公表公報１２頁下から１３行〜１３頁下から４行〕）
　
（エ）「One presently preferred method for holding the etched sheets that grid 90 is formed from is shown in Fig. 14. Etched sheets 91 (preferably 50) are each provided with alignment holes or alignment apertures 94. Alignment pegs 95 are placed in each alignment aperture 94 to align the etched sheets 91. The assembly of sheets 91 and pegs 95 is then placed in aluminum ring 359. Aluminum ring 359 is provided with a vacuum port 370 which may be sealed with pinch off 375. Aluminum sheet 365 which is 0.1 cm in thickness is then bonded and sealed with a vacuum adhesive to upper surface 380 of ring 359. Aluminum sheet 360 is similarly bonded to a lower surface 385 of ring 359. A partial vacuum is then pulled through port 370 and the port 370 is then sealed at pinch off 375 as is well known in the art. In this manner, relatively x-ray transparent aluminum sheets 360, 365 provide a clamping action tending to hold etched sheets 91 together and in alignment as grid assembly 90.
 The apertures 140 furthest from the center of grid 90 have a stepped surface and are preferably square in cross section. X-rays are generally unaffected by the roughness of the channels due to the stepped surface, and even if they are scattered, they will not measurably affect the resultant beam. The material used for the collimation grid 90 as discussed above can be molybdenum, brass, lead, or copper with molybdenum presently preferred. Presently preferred tolerances for the positions of the holes are +/- 0.00127 cm (0.0005 in) center to center without cumulative error and for the hole sizes are +/- 0.00254 cm (0.001 in).」
（「グリッド９０を形成するエッチングされたシート（複数）を保持するひとつの好ましい方法が図１４に示されている。エッチングされたシート９１（好ましくは５０）はそれぞれアライメント穴又はアライメント開口９４が設けられている。アライメントペッグ９５はエッチングされたシート９１を整列するためにそれぞれのアライメント開口９４内に配置される。シート９１とペッグ９５のアッセンブリはアルミニウムリング３５９内に配置される。アルミニウムリング３５９は、ピンチオフ３７５にて密閉可能な真空ポート３７０を設ける。そして０．１ｃｍ厚のアルミニウムシート３６５は、リング３５９の上部表面３８０に真空接着剤にて接着及び密閉される。アルミニウムシート３６０も同様にリング３５９の下部表面３８５に接着される。ポート３７０を介して部分的に真空引きされ、そして当該分野にて周知のようにピンチオフ３７５にてポート３７０は密閉される。この方法において、比較的Ｘ線が透過するアルミニウムシート３６０，３６５は、グリッドアッセンブリ９０としてエッチングされたシート９１を互いに保持し配向するのに役立つ締め付け動作を提供する。
　グリッド９０の中心から最も遠い開口１４０は段付き表面を有し、好ましくは断面が正方形である。段付き表面による通路の凹凸によりＸ線は一般的に影響を受けず、たとえＸ線が散乱しても、それらが合成ビームに測定できる程に影響を与えることはないであろう。上述したようにコリメーショングリッド９０に使用される物質は、現在、モリブデン、真ちゅう、鉛、又はモリブデンを加えた銅が好ましい。上記穴の位置についての好ましい誤差は、累積誤差を除いて中心から中心にて±０．００１２７ｃｍ（０．０００５インチ）であり、穴の大きさの誤差は±０．００２５４ｃｍ（０．００１インチ）である。」〔公表公報１５頁１行〜同頁下から６行〕）
　
（オ）「More details of the preferred scanning x-ray tube 10 are shown at Figs. 4 and 5. Electron gun 161 is located opposite the face of x-ray tube 10 and is operated at a potential of up to about -100kV to -120kV Grounded anode 50 is located at the face of the tube and an electron beam 40 travels between electron gun 161 and anode 50. A grounded electron aperture plate 162 is located near electron gun 161 and includes an aperture 163 at its center for electron beam 40 to pass through. A magnetic focus lens 164 and deflection coil 20 position the beam spot on anode 50 utilizing dynamic focussing as is well known in the art. The tube is fabricated to have a 25.4 cm (10 in) diameter circular active area in which electron beam 40 may intersect anode 50 with the electron beam deflected up to about 30° at the extremities of the circular active area. When the beam is not being fired through a particular aperture it is preferably left off, resulting in a power savings of up to about 25%.
 Turning to Fig. 5, a cross sectional view of the front portion of a suitable x-ray tube 10 is depicted. The interior of the x-ray tube 340, maintained at a vacuum is rearward of anode 50. Anode 50 is a coating of anode material as discussed above. Forward of anode 50 is beryllium anode support 130 which is 0.5 cm thick. Forward of beryllium anode support 130 is cooling jacket 350 which is preferably 0.4 cm thick and may be adapted to carry water or forced air. Aluminum grid supports 360, 365 are each 0.1 cm thick and help support collimation grid 90 which is preferably 1.27 cm (0.5 in) thick.
 When the x-ray tube 340 is in use, no more than one aperture 140 of collimation grid 90 will be passing substantial amounts of x-rays at any given instant. According to one preferred embodiment, the electron beam 40 may be shut off when the electron beam 40 is not positioned directly in front of an aperture 140. Thus the x-ray tube may be operated effectively in a scanned-pulsed mode to reduce power consumption and wear and tear on the target anode 50.」
（「好ましい走査Ｘ線管１０のより詳細なものが図４及び図５に示されている。電子銃１６１はＸ線管１０の正面とは反対側に位置し、約−１００ＫＶから−１２０ＫＶまでの電位にて動作する。接地されたアノード５０は管の正面に位置し電子ビーム４０が電子銃１６１とアノード５０との間を移動する。接地された電子開口板１６２は電子銃１６１の近傍に位置し電子ビーム４０が通過する中央部にて開口１６３を有する。磁界集束レンズ1６４及び偏向コイル２０は、当該分野に周知の自動集束を使用するアノード５０上にビームスポットの位置を定める。上記管は、円形アクティブエリアの末端にて電子ビームが約３０°まで偏向された状態で電子ビーム４０がアノード５０と交差する２５．４ｃｍ（１０インチ）の直径の円形アクティブエリアを有するように組み立てられる。上記ビームがある開口を通過して「輝いて（fired）」いないとき、ビームの生成をやめるのが好ましく、その結果約２５％まで電力を節約することになる。
　図５は、適切なＸ線管１０の前面部分の断面図を示す。真空に維持されるＸ線管３４０の内部はアノード５０の後側である。アノード５０は上述したようなアノード物質のコーティングである。アノード５０の前部は、０．５ｃｍ厚のベリリウムのアノード支持体１３０である。ベリリウムアノード支持体１３０の前部は、好ましくは０．４ｃｍ厚であり水又は強制空気を流すように応用可能な冷却ジャケット３５０である。アルミニウムのグリッド支持体３６０，３６５は、０．１ｃｍ厚にエッチングされ、好ましくは１．２７ｃｍ（０．５インチ）厚のコリメーショングリッド９０を支持するのを助ける。
　Ｘ線管３４０が使用されるとき、コリメーショングリッド９０のわずか一つの開口１４０がいずれの一定の瞬間にて相当量のＸ線を通過させるであろう。好ましい実施形態によれば、電子ビーム４０は、電子ビーム４０が開口１４０の前に直接に位置しないとき電子ビーム４０は止めることができる。このようにＸ線管は電力消費を減じ、ターゲットアノード５０上の摩損や裂け目を減じるように走査パルスモードにおいて効果的に動作可能である。」〔公表公報１５頁下から１行〜１６頁下から４行〕）
　
　上記の記載事項（ア）〜（オ）と図面（特に，図１〜３，図５及び図１４）を総合すると，引用例には，以下の発明が記載されていると認められる。
　
「開口１４０のアレイを備え，モリブデン，真ちゅう，鉛，又はモリブデンを加えた銅などのＸ線稠密物質からなるＸ線吸収性の多数のシート１４３，１４４と，
　前記Ｘ線吸収性の多数のシート１４３，１４４をその間に挟んで支持するためのアルミニウムなどのＸ線透過性の物質からなる，グリッド支持体３６０及びグリッド支持体３６５と，
　ベリリウムからなるアノード支持体１３０及び当該アノード支持体１３０上に形成され，タンタル，タングステン又はタングステン−レニウムなどの電子ビームが照射されたとき容易にＸ線を放出する物質からなるターゲット層とを備えたアノード５０と，
　前記アノード５０と前記グリッド支持体３６０との間の冷却ジャケット３５０とを備えたコリメーショングリッド９０において，
　前記アノード５０から放出されたＸ線が，前記Ｘ線吸収性の多数のシート１４３，１４４に形成された前記開口１４０のアレイを通過し，それぞれＸ線ビーム１００として検出器アレイ１１０の方向へと向けられるように，前記開口１４０の方向が中央部における０°から端部における４５°の範囲の角度をなして前記Ｘ線吸収性の多数のシート１４３，１４４が整列の上組み立てられた，走査ビーム型デジタルＸ線撮影システム用のコリメーショングリッド９０。」
　
ウ　本願発明と引用発明との対比
　本願発明と引用発明とを対比すると，その構造および機能からみて，引用発明の「開口１４０のアレイを備え，モリブデン，真ちゅう，鉛，又はモリブデンを加えた銅などのＸ線稠密物質からなるＸ線吸収性の多数のシート１４３，１４４」，「アノード５０」，「冷却ジャケット３５０」，「アノード支持体１３０」，「タンタル，タングステン又はタングステン−レニウムなどの電子ビームが照射されたとき容易にＸ線を放出する物質からなるターゲット層」，及び「走査ビーム型デジタルＸ線撮影システム用のコリメーショングリッド９０」は，それぞれ，本願発明の「それぞれ規則的なパターンで配列された複数のＸ線透過領域を備え」た「複数のＸ線吸収性シート」，「ターゲット」，「冷却剤チャンバ」，「ターゲット支持層」，「Ｘ線放出層」，及び「Ｘ線グリッドアセンブリ」に相当する。
　また，引用発明の「前記アノード５０から放出されたＸ線が，前記Ｘ線吸収性の多数のシート１４３，１４４に形成された前記開口１４０のアレイを通過し，それぞれＸ線ビーム１００として検出器アレイ１１０の方向へと向けられるように，前記開口１４０の方向が中央部における０°から端部における４５°の範囲の角度をなして前記Ｘ線吸収性の多数のシート１４３，１４４が整列の上組み立てられた」は，本願発明の「上記第１の複数のＸ線吸収性シートと、上記第２の複数のＸ線吸収性シートとを互いに重ね合わせて実質的に平面的なスタックを形成し、各シートの上記Ｘ線透過領域と直接的に隣接するシートのＸ線透過領域とを整列させて、上記スタックを通過する透過通路を形成し、上記Ｘ線透過通路の各々の軸が上記スタックの平面に対して４０°から９０°までの範囲の角度を形成して実質的に単一のスポットに収束させ」と，「上記複数のＸ線吸収性シートを互いに重ね合わせて実質的に平面的なスタックを形成し，各シートの上記Ｘ線透過領域と直接的に隣接するシートのＸ線透過領域とを整列させて，上記スタックを通過する透過通路を形成し，上記Ｘ線透過通路の各々の軸が上記スタックの平面に対して４５°から９０°までの範囲の角度を形成して実質的に単一のスポットに収束させ」の点で共通するといえる。
　そして，引用発明の「前記Ｘ線吸収性の多数のシート１４３，１４４をその間に挟んで支持するためのアルミニウムなどのＸ線透過性の物質からなる」「グリッド支持体３６０」及び「グリッド支持体３６５」は，それぞれ，本願発明の「上記スタックの第１の表面に隣接して配置されたＸ線透過材料にてなる第１の端板」及び「上記スタックの第２の表面に隣接して配置されたＸ線透過材料にてなる第２の端板」に相当するといえ，引用発明の「冷却ジャケット３５０」は，「前記アノード５０と前記グリッド支持体３６０との間」に配置されるものであるから，本願発明同様，「上記冷却剤チャンバが上記第１の端板と上記ターゲットとの間に配置され」たものということができる。
　
　そうすると，両者は，　
［一致点］
「それぞれ規則的なパターンで配列された複数のＸ線透過領域を備えた複数のＸ線吸収性シートとを備え，
  上記複数のＸ線吸収性シートを互いに重ね合わせて実質的に平面的なスタックを形成し，各シートの上記Ｘ線透過領域と直接的に隣接するシートのＸ線透過領域とを整列させて，上記スタックを通過する透過通路を形成し，上記Ｘ線透過通路の各々の軸が上記スタックの平面に対して４５°から９０°までの範囲の角度を形成して実質的に単一のスポットに収束させ，
  上記スタックの第１の表面に隣接して配置されたＸ線透過材料にてなる第１の端板及び上記スタックの第２の表面に隣接して配置されたＸ線透過材料にてなる第２の端板と，
  ターゲットと冷却剤チャンバとを備え，
  上記冷却剤チャンバが上記第１の端板と上記ターゲットとの間に配置され，上記ターゲットがターゲット支持層及びＸ線放出層を備えるＸ線グリッドアセンブリ。」　
である点で一致し，以下の点で相違するといえる。
　
［相違点］
　スタック状に重ね合わせられる複数のＸ線吸収性シートが，本願発明では，「第１の複数のＸ線吸収性シート」及び「第２の複数のＸ線吸収性シート」とからなり，それらが「互いに異なる材料からなり，第１の複数のＸ線吸収性シートの材料は第２の複数のＸ線吸収性シートの材料よりも相対的に原子番号の高いもの」であって，「上記第１の複数のシートが上記第１の端板に隣接して配置され、上記第２の複数のシートは上記第２の端板に隣接して配置される」のに対して，引用発明では，「モリブデン，真ちゅう，鉛，又はモリブデンを加えた銅などのＸ線稠密物質からなる」ものであって，互いに異なる材料からなる２種類の複数のＸ線吸収性シートを用いるものであるか明らかではない点。
（なお，本願発明の認定については，上記「ア　本願発明の認定」参照。）
　
エ　相違点についての検討・判断
　しかしながら，引用例には，「コリメーショングリッド９０は、０．０２５４ｃｍ（０．０１０インチ）厚のモリブデンの薄いシートを５０枚積層し互いに保持して組み立てるのが好ましい。モリブデンは、Ｘ線管１０にて発生し検出器１１０へ向けられていないＸ線が、人間の患者をもちろん含む対象物８０に、無益でかつ有害に衝突する前に停止させることから好ましい。
鉛または類似のＸ線稠密物質も使用することができる
モリブデン、真ちゅう、鉛、又はモリブデンを加えた銅が好ましい
　しかるに，Ｘ線写真の技術分野において，例えば，特表昭６２−５００７４１号公報（３頁右下欄１２〜１４行）や特表平３−５０２４８９号公報（請求の範囲，４頁左下欄１２〜１５行）の記載に例示されるように，Ｘ線吸収性シートを複数重ね合わせた積層体において，Ｘ線が入射する側の材料を出射する側の材料より原子番号の大きい材料で構成することによって，透過するＸ線のエネルギー量を制御することは，従前周知の技術である。
　そうすると，引用発明において，上記従前周知の技術を適用し，上記相違点における本願発明のように構成することは，当業者ならば何ら困難性はなく，容易になし得る程度のことであるというべきである。
　
　そして，本願明細書に記載された本願発明の効果も，当業者であれば予測し得る範囲内のものであり，格別顕著なものとはいえない。
　
オ　小括
　したがって，本願発明を上記アのように解釈されるものとした場合であっても，本願発明は，引用発明に基づいて当業者が容易に発明をすることができたものであるというべきであるから，特許法第２９条第２項の規定により，特許を受けることができないものである。
　
　
第４　結び
　以上のとおり，本願の請求項１に係る発明は，特許法第３６条第６項第２号に規定する要件を満たしていない。また，仮に本願の請求項１に係る発明が上記「第２の３（２）ア　本願発明の認定」中に記載したごとく認定されたとしても，本願の請求項１に係る発明は特許法第２９条第２項の規定により特許を受けることができない。したがって，他の請求項に係る発明について言及するまでもなく，本願は，拒絶されるべきものである。
　
　よって，結論のとおり審決する。